(57)【特許請求の範囲】
【請求項１】
複数枚の戸板を折り畳み自在に連結した折戸の隣接する戸板の連結部に装着される指詰防止具であって、
前記連結部の前方に上下方向に沿って配される指詰防止カバー部と、
前記指詰防止カバー部の上下方向一端部に連結される支持プレートと、
前記支持プレートに連結されて、該支持プレートを前後方向に移動可能に支持するとともに、前記戸板の上下方向一端面に当接配置される水平片部、及びこの水平片部に連成され、前記戸板の裏面に固定される垂直片部を有した取付固定部と、
を備えていることを特徴とする指詰防止具。
【請求項２】
請求項１において、
前記指詰防止カバー部の後面、及び前記支持プレートには、前後方向に互いに係合する係合部がそれぞれに設けられていることを特徴とする指詰防止具。
【請求項３】
請求項１または２において、
前記支持プレートは、連結された各戸板の上下方向一端面に沿って、前記連結部を跨ぐように配設される構成とされ、
前記取付固定部は、各戸板の裏面にそれぞれが固定される一対の垂直片部と、前記支持プレートにそれぞれが連結されるとともに、各戸板の前記一端面にそれぞれが当接配置される一対の水平片部とを有していることを特徴とする指詰防止具。
【請求項４】
複数枚の戸板を折り畳み自在に連結し、隣接する戸板の連結部に、請求項１乃至３のいずれか１項に記載の指詰防止具を装着していることを特徴とする折戸。
【発明の詳細な説明】
【技術分野】
【０００１】
本発明は、指詰防止具、及びこれを備えた折戸に関する。
【背景技術】
【０００２】
複数枚の戸板を折り畳み自在に蝶番によって連結した折戸においては、隣接する戸板の端部間に、隙間が形成される。また、折戸の開閉に伴って、戸板の端面間には、拡縮する空間が形成される。
特に、折戸が閉止される場合には、戸板の端面間の空間が縮まり、その端面間に手指等が存在すれば、該端面間において手指を挟み込んでしまうこと（指詰）が考えられ、このような隙間や空間のカバーや、指詰の防止装置が提案されている。
【０００３】
例えば、下記特許文献１では、二枚の扉の端部間の隙間を覆うカバーと、このカバーを支持し、扉に取り付けるためのジョイント機構とを備えた折戸の隙間カバー装置が提案されている。
また、下記特許文献２では、左右戸体の隙間をふさぐ形状の遮蔽カバーを設け、この遮蔽カバーを支持する連結棒を、二本の開脚バネを介して蝶番の取付部に取り付けた構造とされた折戸の指詰め防止装置が提案されている。
【先行技術文献】
【特許文献】
【０００４】
【特許文献１】特開平８−１３９３３号公報（図１２参照）
【特許文献２】特開２００９−２９３３０４号公報（図５参照）
【発明の概要】
【発明が解決しようとする課題】
【０００５】
しかしながら、上記各特許文献に記載されたものでは、隣接する戸板の端部間に設けられる指詰防止用のカバーを支持するジョイント機構や蝶番が、戸板の連結部の上下方向において適所に取り付けられるものである。このため、これらの位置決め等が必要となり、作業性の改善が望まれていた。また、指詰防止用のカバーは、戸板の連結部に沿って配されるものであるため、上下に比較的、長尺とされ、その上下方向の端部における支持強度の改善が望まれていた。
【０００６】
本発明は、上記実情に鑑みなされたものであり、戸板への取り付け時における作業性を向上し得るとともに、指詰防止用のカバーの上下方向の端部における支持強度を向上し得る指詰防止具、及びこれを備えた折戸を提供することを目的としている。
【課題を解決するための手段】
【０００７】
前記目的を達成するために、本発明に係る指詰防止具は、複数枚の戸板を折り畳み自在に連結した折戸の隣接する戸板の連結部に装着される指詰防止具であって、前記連結部の前方に上下方向に沿って配される指詰防止カバー部と、前記指詰防止カバー部の上下方向一端部に連結される支持プレートと、前記支持プレートに連結されて、該支持プレートを前後方向に移動可能に支持するとともに、前記戸板の上下方向一端面に当接配置される水平片部、及びこの水平片部に連成され、前記戸板の裏面に固定される垂直片部を有した取付固定部と、を備えていることを特徴とする。
【０００８】
このような構成とすることで、取付固定部の水平片部を戸板の上下方向一端面に当接させるとともに、垂直片部を戸板の裏面に当接させ、該垂直片部を戸板の裏面に対して木ねじ等の固定止具によって固定することができる。従って、取り付け時における位置合わせを容易に行え、また、戸板の裏面側から固定することができ、作業性を向上させることができる。つまり、このような戸板の連結部の上下方向の端部に取付固定部を取り付ける態様としては、戸板の上下方向の端面に対して、固定止具を用いて固定することも考えられるが、この場合、端面への固定止具の止着となるため、作業性が悪い。また、特に、取付固定部を、戸板の連結部の上下方向の両端部に固定する場合において、端面に固定する態様では、上下のそれぞれの端面に止着される固定止具の止着箇所を同時に確認することができず、位置合わせが困難となる。一方、本発明によれば、連結部の上下端部のそれぞれに固定する場合にも、戸板の裏面の上端部近傍及び下端部近傍にそれぞれ固定される各垂直片部の固定位置、及び固定止具の止着箇所を同時に確認することができる。従って、位置合わせを容易かつ確実に行うことができる。
また、この取付固定部に連結された支持プレートによって、指詰防止カバー部の上下方向の一端部を支持させることができるので、該指詰防止カバー部の上下方向の一端部における支持強度を向上させることができる。
【０００９】
本発明においては、前記指詰防止カバー部の後面、及び前記支持プレートに、前後方向に互いに係合する係合部をそれぞれ設けるようにしてもよい。
このような構成とすれば、支持プレートに設けられた係合部に対して、指詰防止カバー部の係合部を係合させることで、該指詰防止カバー部を容易に取り付けることができ、より作業性を向上させることができる。
【００１０】
また、本発明においては、前記支持プレートを、連結された各戸板の上下方向一端面に沿って、前記連結部を跨ぐように配設される構成とし、前記取付固定部を、各戸板の裏面にそれぞれが固定される一対の垂直片部と、前記支持プレートにそれぞれが連結されるとともに、各戸板の前記一端面にそれぞれが当接配置される一対の水平片部とを有したものとしてもよい。
このような構成とすれば、取付固定部の一対の垂直片部が、各戸板の裏面、つまり、隣接する戸板の連結部を挟んで各戸板の裏面にそれぞれ固定されるので、一方の戸板のみに固定されるものと比べて、より強固に固定することができる。
また、取付固定部の一対の水平片部が、支持プレートにそれぞれが連結されるので、支持プレートを強固かつ安定して支持することができる。
【００１１】
また、本発明においては、前記支持プレート及び前記取付固定部に、折戸の開、閉動作に伴って該折戸の連結支点（蝶番の折り畳み支点）に対して、支持プレートを後、前移動させる規制手段を設けるようにしてもよい。
前記規制手段としては、前記各戸板の上下方向の一端面にそれぞれ当接配置される水平片部、及び各戸板の上下方向一端面に沿って、前記連結部を跨ぐように配設される支持プレートのいずれか一方に、前記連結支点から均等位置となるように一対の突起部を設け、他方に、該一対の突起部をそれぞれ受け入れる一対のガイド溝を設けた構造とし、前記折戸の開、閉動作に伴って、前記一対の突起部が前記一対のガイド溝に沿って移動することで、前記支持プレートの後、前移動がなされる構造とされているものとしてもよい。
【００１２】
また、前記目的を達成するために、本発明に係る折戸は、複数枚の戸板を折り畳み自在に連結し、隣接する戸板の連結部に、前記いずれかの指詰防止具を装着していることを特徴とする。
このような構成とすることで、指詰防止具の戸板への取り付け時における作業性を向上させることができ、また、指詰防止カバー部の上下方向端部における支持強度を向上させることができる。
【発明の効果】
【００１３】
本発明に係る指詰防止具は、上述のような構成としたことで、戸板への取り付け時における作業性を向上させることができ、また、指詰防止カバー部の上下方向端部における支持強度を向上させることができる。
【図面の簡単な説明】
【００１４】
【図１】（ａ）、（ｂ）は、いずれも本発明の一実施形態に係る指詰防止具を備えた折戸の一例を模式的に示し、（ａ）は、図２におけるＺ１部を拡大して示す概略拡大横断面図、（ｂ）は、図２におけるＹ１方向から見た状態を模式的に示す一部破断概略拡大背面図である。
【図２】同折戸を施工した状態を模式的に示す概略横断面図、及び一点鎖線内を拡大して示す概略拡大横断面図である。
【図３】（ａ）〜（ｄ）は、いずれも同指詰防止具、及びこれを備えた折戸を模式的に示し、（ａ）は、一部分解概略正面図、（ｂ）は、一部分解概略側面図、（ｃ）は、一部分解概略平面図、（ｄ）は、図１（ｂ）におけるＸ−Ｘ線矢視に対応させた一部破断概略縦断面図である。
【図４】同指詰防止具の組み付け工程の一例を説明するための説明図であり、図１（ｂ）に対応させた図である。
【図５】（ａ）、（ｂ）は、いずれも同折戸の指詰防止構造を説明するための説明図であり、（ａ）は、図２におけるＺ２部に対応させた図であり、図２の一点鎖線内拡大図に示した状態から折戸の閉動がなされた状態を示す概略拡大横断面図、（ｂ）は、（ａ）の状態から折戸の閉動がさらになされた状態を示す概略拡大横断面図である。
【図６】（ａ）〜（ｅ）は、いずれも本発明の他の実施形態に係る指詰防止具、及びこれを備えた折戸の一例を模式的に示し、（ａ）、（ｂ）、（ｅ）は、図３（ａ）、（ｂ）、（ｄ）にそれぞれ対応させた図、（ｃ）は、戸板の一部破断背面図、（ｄ）は、戸板の一部破断底面図である。
【発明を実施するための形態】
【００１５】
以下に本発明の実施の形態について、図面に基づいて説明する。
図１〜図５は、第１実施形態に係る指詰防止具、及びこれを備えた折戸について説明するための説明図である。
なお、以下の各実施形態で指す前後方向は、折戸が折り畳まれた際に隣接する戸板の連結部がガイドレールに直交する方向に向けて突出する空間側を前方（手前側）とし、その逆を後方（背面側）として説明する。
【００１６】
本実施形態に係る折戸１は、図１及び図２に示すように、二枚の戸板１０，１０を、蝶番１９によって折り畳み自在に連結している。
この折戸１は、図例では、建物の室内空間（居住空間）７と、収納空間６との間を仕切る内壁５に開設された開口部８を、二組の折戸１，１によって閉塞または開放するクローゼット用の開閉扉として施工された状態を示している。
各折戸１は、開口部８に設けられた四方枠（上枠（不図示）、下枠３、縦枠４，４）などの戸枠内に配置され、上枠の上レール（ガイドレール、不図示）及び下枠３の下レール（ガイドレール）にスライド自在に支持される。
【００１７】
各戸板１０，１０は、その両側端部の手前側縁部に、多面形状の面取り部（図例では三面からなる面取り部）１４，１４をそれぞれ有している。
この面取り部１４によって、図１（ａ）に示すように、当該折戸１が閉止されて、各戸板１０，１０の連結部１１側の各端面１３，１３が互いに対面した状態では、これら端面１３，１３間に、平面視して手前側に向けて拡開するような空間が形成される。図例では、戸板１０の裏面１２に直交する端面１３を基準面として、手前側（戸板の前面側）に向けて順に面取りの角度が大きくなるように二面の面取りが形成され、最前面側の面取りは、隣接する二面目の面取りよりも面取りの角度が小さくなるように形成されている。
なお、この面取り部１４の形状は、図例のような三面からなる多面形状とされたものに限られず、さらに粗く、若しくは細かくＣ面取り加工を施すようにしてもよい。または、凸湾曲面形状と凹湾曲面形状とを組み合わせた湾曲面形状、若しくは湾曲面形状とＣ面取り形状とを組み合わせた形状の面取り部としてもよい。
【００１８】
これら二枚の戸板１０，１０を折り畳み自在に連結する蝶番１９としては、当該折戸１の連結支点（折り畳み支点）となるヒンジピン１９ａ（以下、折戸１の連結支点１９ａとして説明する場合がある。）と、このヒンジピン１９ａを支点として折り畳み自在とされた一対の取付ハネ（不図示）とを有したものとしてもよい。
この蝶番１９は、その取付ハネを、各戸板１０，１０の連結部１１側の各端部近傍の裏面１２，１２に当接させ、または、各戸板１０，１０の裏面１２，１２に設けた凹部に嵌め込み、木ねじ等の固定止具によって固定される。
なお、この蝶番１９は、当該折戸１の連結部１１の上下方向の適所に間隔を空けて、複数個（例えば、３〜５個程度）設けられている。
【００１９】
上記のように、二枚の戸板１０，１０を蝶番１９によって連結した折戸１は、図２において左方に位置する折戸１のように、二枚の戸板１０，１０を横並びに一直線とした状態が、閉止された状態（閉状態）とされる。一方、図２において右方に位置する折戸１のように、二枚の戸板１０，１０を手前側（上レール及び下レールに直交する方向で、室内空間７側）に向けて連結部１１を突出させるようにして折り畳んだ状態が、全開された状態（開状態）とされる。また、図２において右方に位置する二点鎖線で示した折戸１は、上記閉状態から開状態への移行（開動）の途中（または上記開状態から閉状態への移行（閉動）の途中）の状態と、閉状態とを示している。
【００２０】
この折戸１の開動及び閉動は、一方の戸板１０の前面に設けられた把手等をしてなされる。また、連結された各戸板１０，１０の後面（裏面）１２，１２同士のなす角θ（開き角θ）が、所定程度を超えた状態では、各戸板１０，１０の連結部１１近傍の前面を、背面側に向けて押すことによっても折戸１の閉動（以下、押圧閉動と略す）が可能とされている。
このように、折戸１の開動及び閉動がなされる際、戸板１０，１０の連結部１１側の各端面１３，１３間には、折戸１の開閉に伴って、拡大及び縮小する扇状の空間が形成される（図５も参照）。
【００２１】
上記のように連結された隣接する戸板１０，１０の連結部１１には、指詰防止具２が装着されている。
この指詰防止具２は、図１及び図２に示すように、連結部１１の前方に上下方向に沿って配された指詰防止カバー体２０と、この指詰防止カバー体２０を支持し、戸板１０の裏面１２に取り付けられる支持部３０とを備えている。
【００２２】
指詰防止カバー体２０は、上下に長尺に形成され、連結部１１の上下方向の略全長に亘って配されており、当該折戸１の連結支点１９ａよりも前方に配されている。
また、指詰防止カバー体２０は、本実施形態では、図１（ａ）に示すように、当該折戸１が閉止された状態では、各戸板１０，１０の面取り部１４，１４間の空間に、略全体が収容される形状とされている。
【００２３】
また、本実施形態では、指詰防止カバー体２０は、図３（ｃ）に示すように、カバー本体２１と、カバー本体２１の後面側部位に取り付けられた一対の緩衝部材２４，２４とを備えている。
カバー本体２１の前面は、その中央部が、当該折戸１が閉止された状態における各戸板１０，１０の前面と略面一状となるように平坦面とされ、この平坦面に連なる左右側部が、背面側に向けて拡開するように傾斜する傾斜面とされている。また、カバー本体２１の後面側部位の左右側部は、背面側に向けて先細り状とされたテーパ面部とされている。このテーパ面部は、図１（ａ）に示すように、当該折戸１が閉止された状態では、上記した二面目の面取り部との間に当接しない程度の僅かなクリアランスを隔てて、この二面目の面取り部に近接対面している。
【００２４】
また、これらテーパ面部のそれぞれ内側寄りの後面側部位には、図３（ｃ）に示すように、一対の係合凹部２３，２３が形成されており、これら係合凹部２３，２３に、緩衝部材２４，２４が取り付けられている。
緩衝部材２４，２４は、カバー本体２１の係合凹部２３，２３に嵌め込まれる係合凸部と、該係合凸部に連成され、上記テーパ面部の一部を被覆するように形成された緩衝部とを有している。
この緩衝部材２４，２４としては、例えば、エラストマー（軟質ゴムや硬質ゴム、熱可塑性エラストマーなど）や、発泡体（スポンジやウレタンフォームなど）、軟質の合成樹脂等で形成されたものとしてもよく、透明のエラストマー製のものとしてもよい。また、形状は、図例のように上記テーパ面部の一部に沿うようにして取付固定されたようなものに限られず、例えば、中空形状や、ヒレ形状のようなパッキン部材としてもよい。
なお、緩衝部材２４，２４は、カバー本体２１の全長に亘って設けられる長さとしてもよく、カバー本体２１の上下方向の適所の複数箇所に、分断して設けるようにしてもよい。
【００２５】
カバー本体２１の後面側の中央部には、上下方向の全長に亘って、係合部としての係合凹部２２が設けられ、この係合凹部２２には、左右一対の係止凹部２２ａ，２２ａが形成されている。これら係止凹部２２ａ，２２ａは、後面側から見て比較的、深い位置となる手前側部に位置するように形成されている。
このカバー本体２１は、例えば、金属材や硬質の合成樹脂材で形成されたものとしてもよい。
上記金属材としては、スチールや炭素鋼、ステンレス鋼、アルミニウム、アルミニウム合金等、どのようなものでもよいが、鋼鉄材等と比べて、比較的軽量かつ安価であるアルミニウムからなるものとしてもよい。
【００２６】
この指詰防止カバー体２０は、当該折戸１の開閉に伴って拡縮する上記した扇状の空間に配され、この空間を、当該折戸１の開閉を伴い、支持部３０によって、折戸１の開動時には、背面側に向けて移動（連結支点１９ａに対して近接移動）させられる。一方、折戸１の閉動時には、手前側に向けて移動（連結支点１９ａに対して離反移動）させられる。
【００２７】
支持部３０は、図１（ｂ）に示すように、本実施形態では、指詰防止カバー体２０の上下方向（長手方向）の上下端部のそれぞれに設けられており、上下で一組とされている。
この支持部３０は、指詰防止カバー体２０の上下方向の一端部に連結された支持プレート３１と、この支持プレート３１にそれぞれ連結されるとともに、各戸板１０，１０にそれぞれ固定された一対の取付固定部３６，３６とを備えている。
【００２８】
支持プレート３１は、図１及び図２に示すように、各戸板１０，１０の連結部１１側の側端部における上下方向の一端面（上側に配される場合は、上端面１５，１５、下側に配される場合は、下端面１６，１６）に沿って、連結部１１を跨ぐように配設されている。
この支持プレート３１は、指詰防止カバー体２０の上下方向の一端部に連結され、その一端部の端面に沿うように配置される前端部３２と、この前端部３２に連成され、一対の取付固定部３６，３６のそれぞれに連結される後側部３４とを備えている。
【００２９】
支持プレート３１の前端部３２は、当該折戸１の閉止状態において、各戸板１０，１０の面取り部１４，１４間の空間に位置するように配され、当該折戸１の全開状態において、各戸板１０，１０の各端面１３，１３から前方に向けて突出するように配される。
この前端部３２は、図３に示すように、指詰防止カバー体２０側の面（上側に配される場合は、下面、下側に配される場合は、上面）から指詰防止カバー体２０側に向けて鉛直方向に突設されるとともに、前方に向けて突出した係合凸部３３を備えている。この係合凸部３３は、図３（ｃ）に示すように、左右に二股に分岐し、この分岐した部位の前端部には、左右方向外方に向けてそれぞれ屈曲形成された係止爪部３３ａ，３３ａが形成されている。この係止爪部３３ａ，３３ａが、指詰防止カバー体２０のカバー本体２１の後面側に形成された係合凹部２２の係止凹部２２ａ，２２ａに係止し、指詰防止カバー体２０が支持プレート３１に対して連結される。
【００３０】
支持プレート３１の後側部３４は、当該折戸１の閉止状態及び全開状態において、各戸板１０，１０の連結部１１側の側端部近傍の上下方向の一端面を覆うように配される。
この後側部３４には、一対のガイド溝を構成する左右一対のガイド孔３５，３５が開設されている。これら一対のガイド孔３５，３５は、典型的なブーメラン形状（略く字形状または底部角が比較的大きい略Ｖ字形状）のような長孔形状とされている。また、これら一対のガイド孔３５，３５は、後側部３４の前後方向に沿う中心線（当該支持プレート３１の幅方向の中心を通る前後方向の線）を対称軸として、互いに線対称な形状とされている。つまり、一方を左右反転させた形状が、他方と同寸同形状とされている。
【００３１】
これら一対のガイド孔３５，３５は、図１（ａ）及び図２に示すように、後側部３４の幅方向の中心側寄りの中心側孔部が背面側から手前側に向けて拡開するように傾斜した形状とされている。また、該中心側孔部に連成された側部側孔部が、それぞれ左右方向外方に向けて延びるように形成されている。
上記した支持プレート３１の前端部３２に設けられた係合凸部３３は、これら一対のガイド孔３５，３５のそれぞれから均等位置となるように、前端部３２の略中央部に設けられている。
【００３２】
一対の取付固定部３６，３６は、図３（ａ）〜（ｃ）に示すように、本実施形態では、略同寸同形状とされ、平板状のプレートを略Ｌ字状に屈曲させた形状とされている。
この取付固定部３６は、各戸板１０，１０の連結部１１側の側端部近傍の上下方向の一端面に当接配置される水平片部３７と、この水平片部３７に連成され、各戸板１０，１０の連結部１１側の側端部近傍の裏面１２に固定される垂直片部３８とを有している。
【００３３】
水平片部３７には、図３（ｃ）、（ｄ）に示すように、支持プレート３１の一対のガイド孔３５，３５の一方に挿通された規制突起部としての規制軸部３９が設けられている。図例では、この規制軸部３９は、支持プレート３１のガイド孔３５及び水平片部３７に開設された貫通孔に、一端部に鍔付のリベット状部材の他端部を挿通し、かしめ固定するなどして水平片部３７に取り付けられている。
この規制軸部３９は、当該一対の取付固定部３６，３６が、各戸板１０，１０に固定された状態では、それぞれが連結支点１９ａから均等位置となるように配される。
【００３４】
垂直片部３８には、図３（ａ）、（ｂ）に示すように、当該垂直片部３８を前後に貫通し、固定止具Ｓ（図１（ｂ）参照）が挿通される皿孔３８ｂ，３８ｂが、幅方向（戸板１０の幅方向と同方向）に間隔を空けて複数箇所（図例では二箇所）に開設されている。なお、固定止具が挿通される止具挿通孔としては、図例のような皿孔に限られず、固定止具の種類に応じた形状の挿通孔とすればよい。
また、この垂直片部３８における、水平片部３７連成側の端部とは異なる側の端部（上側に配される場合は、下端部、下側に配される場合は、上端部）には、切込部３８ａ，３８ａが幅方向に間隔を空けて複数箇所（図例では二箇所）に設けられている。
【００３５】
これら水平片部３７及び垂直片部３８をそれぞれに有した一対の取付固定部３６，３６は、上述のように、一対の規制軸部３９，３９を介して支持プレート３１に連結されている。これら一対の規制軸部３９，３９と、この支持プレート３１に設けられた一対のガイド孔３５，３５とは、支持プレート３１を、当該折戸１の開、閉動作に伴って折戸１の連結支点１９ａに対して後、前移動させる規制手段を構成する。
【００３６】
これら一対の規制軸部３９，３９は、図１（ａ）、図２、及び図５に示すように、当該折戸１の開動作及び閉動作に伴って、連結支点１９ａを円心とする円の円周に沿って弧を描くように移動する。具体的には、当該折戸１が全開された状態から閉動作がなされる際には、一対の規制軸部３９，３９が上記円周に沿って互いに離反するように移動するとともに、連結支点１９ａに対して前方に向けてそれぞれ移動する。一方、当該折戸１が閉止された状態から開動作がなされる際には、上記とは逆に、一対の規制軸部３９，３９が上記円周に沿って互いに近接するように移動するとともに、連結支点１９ａに対してそれぞれ後方に向けて移動する。
これら一対の規制軸部３９，３９が、折戸１の開動作及び閉動作に伴って、一対のガイド孔３５，３５に沿って、連結支点１９ａに対して後移動及び前移動することで、支持プレート３１が後移動及び前移動する。また、この支持プレート３１の後移動及び前移動により、支持プレート３１に連結された指詰防止カバー体２０が、上記扇状の空間を、後移動及び前移動する。
【００３７】
次に、上記構成とされた指詰防止具２の組み付け工程の一例について、図３及び図４を参照して説明する。
まず、図４に示すように、蝶番１９（図１（ａ）参照）によって連結された二枚の戸板１０，１０を、各裏面１２，１２を上にして、作業台等の上に載置し、各戸板１０，１０の連結部１１側の各上端部及び各下端部に、支持部３０，３０を配置する。
この際、上下の支持部３０，３０の一対の取付固定部３６，３６の各水平片部３７，３７を、各戸板１０，１０の上下方向の各端面１５，１６に当接させ、各垂直片部３８，３８を、各戸板１０，１０の各裏面１２，１２に当接させる。また、この際、各戸板１０，１０の連結部１１近傍の各裏面１２，１２に、上下方向に沿って設けられた位置合わせ用の補助線Ｌ，Ｌを利用して、上下の支持部３０，３０の位置合わせを行うようにしてもよい。
【００３８】
これら補助線Ｌ，Ｌは、各戸板１０，１０の連結部１１側の各端面１３，１３から均等位置で、各戸板１０，１０にそれぞれ固定される一対の取付固定部３６，３６の外方側または内方側（図例では外方側）の切込部３８ａ，３８ａに概ね一致する位置となるように設けられている。これら補助線Ｌ，Ｌは、予め付けておくようにしてもよく、または、各支持部３０，３０を仮配置した後に、補助線Ｌ，Ｌを付けるようにしてもよい。
【００３９】
上記のように、上下の支持部３０，３０を位置決めして配置した後、各垂直片部３８，３８に設けられた皿孔３８ｂ，３８ｂの位置に応じて、木ねじなどの固定止具Ｓの止着箇所としての下穴を設けるようにしてもよい。
次いで、図１（ｂ）に示すように、上下の支持部３０，３０の各垂直片部３８，３８の各皿孔３８ｂ，３８ｂに、固定止具Ｓを挿通し、各戸板１０，１０の各裏面１２，１２に各垂直片部３８，３８を固定する。この状態では、戸板１０，１０の連結部１１の上端部及び下端部に、上下の支持部３０，３０がそれぞれ固定されて配置された状態となる。
【００４０】
次いで、当該折戸１を、例えば、開状態（折り畳み状態）とし、上下の支持プレート３１，３１の各前端部３２，３２を前方に突出させた状態で（図２参照）、各支持プレート３１，３１の係合凸部３３，３３に対して、指詰防止カバー体２０の上端部及び下端部を係合させる（図３（ｃ）参照）。つまり、指詰防止カバー体２０の後面側に形成された係合凹部２２の係止凹部２２ａ，２２ａに、上下の支持プレート３１，３１の各係合凸部３３，３３の係止爪部３３ａ，３３ａを係止させることで、上下の支持プレート３１，３１と、指詰防止カバー体２０とが連結される。これら支持プレート３１，３１の各係合凸部３３，３３は、左右に二股に分岐されているので、その左右方向に沿う弾性変形を伴って、指詰防止カバー体２０の係合凹部２２との係合が容易になされる。
【００４１】
上記構成とされた指詰防止具２によれば、指詰防止カバー体２０を支持する支持部３０の取付固定部３６が水平片部３７と垂直片部３８とを有した略Ｌ字状とされている。従って、これら水平片部３７及び垂直片部３８を戸板１０の裏面１２、及び上下方向の一端面１５，１６に当接させることで、容易に位置合わせでき、固定することができる。また、戸板１０の裏面１２に、固定止具Ｓを止着することができるので、例えば、戸板の上下方向の一端面への止着作業に比べて、作業性、生産性を向上させることができる。つまり、蝶番１９等の固定と同様、戸板１０の裏面１２に対して固定止具Ｓを止着でき、作業性、生産性を向上させることができる。
また、固定止具Ｓが裏面１２に止着、つまり、戸板１０の厚さ方向に止着されるので、固定止具Ｓの保持強度を、戸板の上下方向の一端面に止着する場合と比べて、向上させることができる。従って、戸板１０がパーティクルボードや木質積層板、木質繊維板などの木質系ボードで形成されている場合にも好適なものとなる。
【００４２】
さらに、本実施形態のように、隣接する戸板１０，１０の連結部１１の上端部及び下端部のそれぞれに、支持部３０，３０を設ける場合にも上下の支持部３０，３０の位置合わせを容易かつ確実に行うことができる。つまり、例えば、取付固定部を、戸板の連結部の上下方向の両端部に固定する場合において、端面に固定する態様では、上下のそれぞれの端面に止着される固定止具の止着箇所を同時に確認することができず、位置合わせが困難となる。一方、本実施形態によれば、戸板１０，１０の各裏面１２，１２の上端部近傍及び下端部近傍にそれぞれ固定される各垂直片部３８，３８の固定位置、及び固定止具Ｓの止着箇所を同時に確認することができ、位置合わせを容易かつ確実に行うことができる。
【００４３】
さらにまた、本実施形態では、補助線Ｌ，Ｌを各戸板１０，１０の各裏面１２，１２に上下方向に沿って設け、これに位置合わせする切込部３８ａ，３８ａを、一対の取付固定部３６，３６に設けている。従って、これら一対の取付固定部３６，３６の幅方向（各戸板の幅方向と同方向）の位置決め、つまり、上下のそれぞれが揃うように、容易に位置決めを行うことができる。この結果、指詰防止カバー体２０の上下端部のそれぞれに連結される上下の支持プレート３１，３１の係合凸部３３，３３の位置を、上下で概ね一致させることができる。また、このように位置決めされた支持プレート３１，３１に対して、指詰防止カバー体２０を取り付けることで、当該指詰防止カバー体２０を、連結部１１の前方で、上下に沿って、概ね真っ直ぐに配置させることができる。
【００４４】
また、本実施形態では、指詰防止カバー体２０の後面側、及び支持プレート３１に、前後方向に互いに係合する係合部２２，３３をそれぞれ設けている。従って、支持プレート３１に設けられた係合凸部３３に対して、指詰防止カバー体２０の係合凹部２２を係合させることで、指詰防止カバー体２０を容易に取り付けることができ、より作業性を向上させることができる。
なお、上記組み付け工程は、一例であり、別の手順でなされるようにしてもよい。
また、支持プレート３１及び一対の取付固定部３６，３６の各水平片部３７，３７は、それぞれ薄板状に形成されており、当該折戸１が戸枠などに施工された際に、上枠や下枠等に、これらが当接しない程度の厚さとしてもよい。
または、戸板１０，１０の取付固定面に、これら支持プレート３１及び一対の取付固定部３６，３６の各水平片部３７，３７を嵌め込む凹部を設けるようにしてもよい。これによれば、各戸板１０，１０の上端面１５及び下端面１６と、上枠及び下枠等との間に、十分な隙間がないような場合や隙間を設けたくないような場合にも好適なものとなる。
【００４５】
次に、上記構成とされた指詰防止具２が装着された折戸１における指詰防止構造について、図１（ａ）、図２及び図５に基づいて説明する。
図２に示すように、折戸１が全開された状態から把手をして折戸１をスライドさせて、折戸１の閉動がなされる際には、図５（ａ）、（ｂ）に示すように、開き角θが徐々に大きくなる。これに伴って、一対の取付固定部３６，３６にそれぞれ設けられた一対の規制軸部３９，３９が、上記円周に沿って離反するように移動するとともに、連結支点１９ａに対してそれぞれ前方に向けて移動する。
この際、一対の規制軸部３９，３９は、当該折戸１が全開された状態では、一対のガイド孔３５，３５の上記中心側孔部のそれぞれ中心側端部に位置しているが、当該折戸１の閉動に伴って、一対のガイド孔３５，３５に沿うようにして前方に向けて移動する。これにより、支持プレート３１が前方に向けて移動する。つまり、一対のガイド孔３５，３５に沿う一対の規制軸部３９，３９の移動、及び互いの規制作用によって、支持プレート３１が前方に向けて移動する。
【００４６】
また、支持プレート３１が前方に向けて移動することによって、その前端部３２の係合凸部３３に連結された指詰防止カバー体２０が、各端面１３，１３間に形成される扇状の空間を前方に向けて移動、つまり、連結支点１９ａに対して離反移動する。
このように、扇状の空間を前方に向けて移動する指詰防止カバー体２０の後面側（上記テーパ面部及び上記緩衝部）と、閉動に伴い互いに近接する戸板１０，１０の各端面１３，１３及び面取り部１４，１４とは、所定のクリアランスを隔てて、近接対面するようにして、相対的に移動する。なお、当該折戸１の開閉動作の態様（例えば、乱暴な開閉動作など）によっては、指詰防止カバー体２０に揺動等が生じ、所定のクリアランスを隔てた安定的な移動がなされずに、指詰防止カバー体２０が戸板１０，１０の端面１３，１３に当接、接触し、振動による異音が生じる場合がある。このような場合にも、本実施形態では、指詰防止カバー体２０の緩衝部材２４，２４によって、衝突や振動により生じる恐れのある異音や損傷等を低減することができる。
【００４７】
上記のような折戸１の閉動に伴って、各戸板１０，１０の連結部１１側の各端面１３，１３間に形成される扇状の空間は、徐々に小さくなるが、上記のように指詰防止カバー体２０もそれに伴って、支持部３０によって前方に向けて移動させられる。従って、これら各端面１３，１３及び面取り部１４，１４と指詰防止カバー体２０の後面側とは、上述のように、原則的には所定のクリアランスを保持するようにして、近接対面して相対的に移動しながら、その閉動がなされる。
上記所定のクリアランスは、各端面１３，１３及び面取り部１４，１４と指詰防止カバー体２０とが、上記のように原則的に相対移動する際に、当接しない程度以上、かつ、少なくとも押圧閉動の可能な状態から閉動がなされる際に手指等の挿入がなされない程度以下とすればよい。例えば、押圧閉動の可能な状態から閉動がなされる際のクリアランスが、０．２ｍｍ〜３．０ｍｍ程度となるようにしてもよい。
【００４８】
一方、図１（ａ）に示すように、閉止状態とされた折戸１を、開放させる際には、折戸１に設けられた把手等を、手前側に引き、スライドさせることで開動がなされる。
この折戸１の開動作がなされる際には、その開動作に伴って、上記した閉動作とは逆に、一対のガイド孔３５，３５に沿う一対の規制軸部３９，３９の移動がなされ、支持プレート３１が連結支点１９ａに対して後移動する。これにより、支持プレート３１の前端部３２に連結された指詰防止カバー体２０が、各端面１３，１３間に形成される扇状の空間を後方に向けて移動、つまり、連結支点１９ａに対して近接移動する。
【００４９】
以上のように、本実施形態に係る指詰防止具２を装着した折戸１によれば、指詰防止カバー体２０によって指詰を防止することができる。つまり、折戸１の閉動がなされる際に、戸板１０，１０の連結部１１側の各端面１３，１３間にて縮小する扇状の空間に手指が存在している場合にも、指詰防止カバー体２０は、その空間を連結支点１９ａに対して前方に向けて移動する。従って、手指が該空間から指詰防止カバー体２０によって、はじき出されるようにして、指詰の防止がなされる。
【００５０】
また、取付固定部３６に連結された支持プレート３１によって、指詰防止カバー体２０の上下方向の一端部が支持されるので、指詰防止カバー体２０の上下方向の一端部における支持強度を向上させることができる。特に、本実施形態では、上下一組の支持部３０，３０の各支持プレート３１，３１によって、指詰防止カバー体２０の上端部及び下端部のそれぞれが支持されるので、指詰防止カバー体２０の上下方向の両端部における支持強度を向上させることができる。
さらに、本実施形態では、支持プレート３１が、連結された各戸板１０，１０の上下方向一端面１５，１６に沿って、連結部１１を跨ぐように配設される構成とされている。また、これに対応させて、取付固定部を、各戸板１０，１０の裏面１２，１２に固定される垂直片部３８，３８、及び支持プレート３１に連結される水平片部３７，３７をそれぞれに有した一対の取付固定部３６，３６としている。従って、各戸板１０，１０の裏面１２，１２のそれぞれに、垂直片部３８，３８のそれぞれを固定することで、一方の戸板のみに固定されるものと比べて、より強固に固定することができる。また、一対の水平片部３７，３７によって支持プレート３１を支持することができ、支持プレート３１を強固かつ安定して支持することができる。
【００５１】
さらにまた、本実施形態では、指詰防止カバー体２０の後面側と、戸板１０，１０の各端面１３，１３及び面取り部１４，１４とは、少なくとも当該折戸１の押圧閉動が可能となる状態から閉動作がなされる際に、原則的には近接対面して移動する構成とされている。従って、当該指詰防止カバー体２０が、例えば、指等に押されて左右方向のいずれか一方にズレが生じた場合にも、押方向とは異なる側の戸板１０の端面１３に当接して、該指詰防止カバー体２０の移動（ズレ）が規制される。従って、該指詰防止カバー体２０と押方向側における端面１３との空隙の拡大を低減でき、指詰をより効果的に防止できる。
【００５２】
次に、本発明に係る他の実施の形態について、図面を参照しながら説明する。
図６は、第２実施形態に係る指詰防止具、及びこれを備えた折戸について説明するための説明図である。
なお、上記第１実施形態との相違点について主に説明し、同様の構成については、同一符号を付し、その説明を省略または簡略に説明する。
【００５３】
本実施形態に係る折戸１Ａは、指詰防止具２Ａの支持部３０Ａの一対の取付固定部３６Ａ，３６Ａの構成が上記第１実施形態とは異なる。
この取付固定部３６Ａは、図６（ａ）、（ｂ）に示すように、正面視して外郭形が円の一部を切り欠いたような形状の突設部３９ａを有している。この突設部３９ａは、互いに交差する水平片部３７と垂直片部３８との隅部から戸板側及び前方に向けて突出するように設けられている。
また、この突設部３９ａは、正面視して上方に開口する略Ｃ字形状とされており、その開口部の底部に、規制軸部３９が挿通される貫通孔を設けている。このように突設部３９ａを設け、この突設部３９ａに、規制軸部３９用の貫通孔を設けることで、規制軸部３９を強固に保持することができる。つまり、上記第１実施形態のように、薄板状とされた水平片部に貫通孔を設ける場合と比べて、強固に保持することができる。
【００５４】
また、本実施形態では、図６（ｃ）、（ｄ）に示すように、戸板１０Ａの連結部１１（図１（ｂ）参照）近傍の裏面１２に、取付固定部３６Ａの突設部３９ａの外郭形状に対応させた嵌め込み用の嵌め込み凹部１７を掘り込むようにして設けている。
この嵌め込み凹部１７は、戸板１０Ａの上下方向の一端面（上端面１５（図１（ｂ）参照）及び下端面１６）、及び裏面１２に開口しており、取付固定部３６Ａの突設部３９ａが、戸板１０Ａの厚さ方向に沿って嵌め込まれる。
また、この嵌め込み凹部１７は、図示は省略しているが、隣接する二枚の戸板の連結部近傍の各裏面の上端部及び下端部に、それぞれ設けられており、上端部及び下端部のそれぞれにおいて、各端面から均等位置となるように設けられている。
【００５５】
上記構成とされた支持部３０Ａを、戸板１０Ａの各裏面１２に固定する際には、取付固定部３６Ａの突設部３９ａを、嵌め込み凹部１７に嵌め込むことで、容易に仮固定することができる。また、これにより、図示は省略するが、上下の支持部３０Ａ，３０Ａの位置決めを容易に行うことができる。
この状態で、上記第１実施形態と同様、各垂直片部３８，３８に設けられた皿孔３８ｂ，３８ｂの位置に応じて、木ねじなどの固定止具Ｓの止着箇所としての下穴を設けるようにしてもよい。
次いで、図６（ｅ）に示すように、固定止具Ｓを挿通し、各戸板１０Ａの各裏面１２に各取付固定部３６Ａの各垂直片部３８を固定（本固定）するようにすればよい。
上記構成とされた折戸１Ａ及び指詰防止具２Ａによれば、上記第１実施形態と概ね同様の効果を奏する。
【００５６】
なお、上記各実施形態では、指詰防止カバー部を、戸板の連結部の上下方向の略全長に亘って、その前方に設け、その上端部及び下端部を、上下一組の支持部によって支持する態様を例示したが、このような態様に限られない。例えば、指詰防止カバー部を、戸板の連結部の上端部または下端部から途中部位まで設け、それに応じて、支持部の一方を設けるようにしてもよい。この場合は、指詰防止カバー部の途中部位の適所や、上記支持部に連結されていない側の端部を支持し、かつ戸板の裏面に取り付けられる取付支持部を、さらに設けるようにしてもよい。
【００５７】
このような取付支持部としては、上記支持部によって前後移動させられる指詰防止カバー部の前後移動の態様に対して同様の前後移動の態様で、指詰防止カバー部を前後移動可能に支持し得る構造とされたものとすればよい。例えば、戸板の連結部側の各端部間に形成される隙間に前後に挿通され、前端部が指詰防止カバー部に連結される連結支持片と、戸板の連結部側の各端部近傍の裏面のそれぞれに、固定止具によって固定される一対の取付プレートと、この取付プレートに、それぞれの一端部が枢着されるとともに、他端部が回動自在に上記連結支持片の後端部に連結されて当該折戸の開、閉動作に伴って該折戸の連結支点に対して該連結支持片の後端部を離反、近接移動させる一対の作動片とを備えたものとしてもよい。このような取付支持部を設ける場合にも、戸板の裏面への固定止具の止着作業となるため、上記各支持部と同様にして、戸板の裏面側に対して固定止具を止着させることができ、作業性、生産性を向上させることができる。
なお、この取付支持部を、上記第１実施形態及び第２実施形態において説明した各指詰防止具にさらに設けるようにしてもよい。
【００５８】
また、指詰防止カバー部の形状は、図例のものに限られず、拡縮される上記扇状の空間を、折戸の開閉動作に伴って、上記のように、支持部によって前後に移動させられるものであればよい。
さらに、指詰防止カバー部に設けた緩衝部材も図例のように、カバー本体の左右一対の係合凹部のそれぞれに嵌め込まれる二部材からなるものに限られず、これらを左右方向に連結したような一部材からなるものとしてもよい。または、緩衝部を指詰防止カバー部に一体的に形成してもよい。例えば、二色成形（異材質成形）等によって、前面側部を、比較的、剛性のある硬質の合成樹脂からなるものとし、該前面側部の左右両側部に連成するようにして、軟質の合成樹脂からなる左右緩衝部を設けるような態様としてもよい。
【００５９】
さらにまた、本実施形態では、支持プレートに設けた上記一対のガイド孔の形状を、上記のようにブーメラン形状としているが、このような形状に限られず、左右方向に形成された長孔状のものとしたり、または、他の波線形状のようなものとしたりしてもよい。
また、本実施形態では、一対の取付固定部のそれぞれに設けた一対の規制軸部と、支持プレートに設けた一対のガイド孔とによって、当該折戸の開動作及び閉動作に伴って、上記支持プレートを、連結支点に対して後移動及び前移動させる規制手段を構成した態様を示しているが、このような態様に限られない。
【００６０】
上記規制手段としては、支持プレートを戸板の連結部に跨るように連結部側の各端部近傍の上端面及び下端面に取り付け得る構成で、かつ、上記折戸の開、閉動作に伴って該支持プレートを該折戸の連結支点に対して後、前移動させる構成とすればよい。
例えば、各取付固定部にガイド孔をそれぞれ設け、支持プレートに一対の規制突起部（規制軸部）を設けるような態様としてもよい。または、このようなガイド孔に代えて、ガイド溝としてもよい。
【００６１】
また、上記各実施形態では、支持プレートを戸板の連結部に跨るように配置した構成とし、これに合わせて、各戸板にそれぞれ固定される一対の取付固定部を有したものを例示しているが、このような態様に限られない。例えば、支持プレートを前後方向に移動可能に支持するとともに、一方の戸板に固定される取付固定部を設けた態様としてもよい。この場合は、折戸の開、閉動作に伴って該支持プレートを該折戸の連結支点に対して後、前移動させ得るように、規制手段や指詰防止カバー部の構造を変形するようにしてもよい。
さらに、上記各実施形態では、指詰防止カバー部の後面、及び支持プレートのそれぞれに、前後方向に互いに係合する係合部を設けた例を示しているが、上下方向に係合する係合部を設けるようにしてもよい。または、このような係合部を設けずに、固定止具等によって指詰防止カバー部と支持プレートとを連結するようにしてもよい。
【００６２】
さらにまた、本発明に係る折戸は、クローゼット用の開閉扉に限られず、収納戸棚や各種部屋の開閉扉、または部屋の間仕切り用のスライドウォール（開閉壁）としても適用可能である。
また、上記各実施形態では、折戸を構成する複数枚の戸板として、二枚からなるものを例示しているが、三枚以上の戸板からなるものとしてもよい。この場合は、上記した各指詰防止具を、折戸の開閉の際に戸板のスライド方向と直交する方向に突出される連結部に、少なくとも設けるようにしてもよい。
【符号の説明】
【００６３】
１，１Ａ        折戸
２，２Ａ        指詰防止具
１０，１０Ａ    戸板
１１            戸板の連結部
１２            戸板の裏面
１５            戸板の上端面
１６            戸板の下端面
２０            指詰防止カバー体（指詰防止カバー部）
２２            係合凹部（係合部）
３１            支持プレート
３３            係合凸部（係合部）
３６，３６Ａ    取付固定部
３７            水平片部
３８            垂直片部
【図１】
0005478277.tif 000002
【図２】
0005478277.tif 000003
【図３】
0005478277.tif 000004
【図４】
0005478277.tif 000005
【図５】
0005478277.tif 000006
【図６】
0005478277.tif 000007